(57)【要約】【課題】  振動トレーニングに加えてアイソメトリック運動を行うことができるようにした振動トレーニング装置に関し、腰から足裏までの下半身だけでなく、胸、背中、腕等の上半身も含めた全身的な運動効果が得られるようにした振動トレーニング装置を提供する。【解決手段】  使用者が搭乗する踏み台２１ａと、該踏み台２１ａを高速で振動させる駆動機構２２ａとをベース２ａに備えると共に該ベース２ａに使用者が把持するハンドル４ａを備えたポスト３２ａを立設した振動トレーニング装置１ａであって、前記ハンドル４ａを旋回可能にポスト３２ａ上部において軸支すると共に該ハンドル４ａの旋回に伴って発生する旋回反発力を付与する旋回反発力付与機構５ａを設けた事、及び／または前記ハンドル４ａに弾性部４５ａを設けて該ハンドル４ａを弾性変形可能とした事を特徴として構成する。【選択図】  図１
2009219576.tif 000002
【特許請求の範囲】
【請求項１】
使用者が搭乗する踏み台と、該踏み台を高速で振動させる駆動機構とをベースに備えると共に該ベースに使用者が把持するハンドルを備えたポストを立設した振動トレーニング装置であって、前記ハンドルを旋回可能に前記ポスト上部において軸支すると共に該ハンドルの旋回に伴って発生する旋回反発力を付与する旋回反発力付与機構を設けた事、及び／または前記ハンドルに弾性部を設けて該ハンドルを弾性変形可能とした事を特徴とする振動トレーニング装置。
【請求項２】
前記旋回反発力付与機構として、前記ハンドルの旋回軸の左右にコイルスプリングをそれぞれ配置すると共に、該各コイルスプリングを前記ポスト上部において固設された固定部材とハンドルの旋回に伴って可動する可動部材との間に狭設した事を特徴とする請求項１記載の振動トレーニング装置。
【請求項３】
前記ハンドルの旋回が可能な場合において、該旋回をロックする旋回ロック機構を設けた事を特徴とする請求項１及び請求項２のいずれか記載の振動トレーニング装置。
【請求項４】
前記ハンドルに前記弾性部を設ける場合において、該弾性部をコイルスプリングで形成した事を特徴とする請求項１記載の振動トレーニング装置。
【請求項５】
前記ハンドルを長さ方向において伸縮可能にした事を特徴とする請求項１乃至請求項４のいずれか記載の振動トレーニング装置。
【請求項６】
前記ハンドルの左右両側に、該ハンドルの長さ方向においてスライドするグリップをそれぞれ設けた事を特徴とする請求項５記載の振動トレーニング装置。
【請求項７】
前記ハンドルの長さ方向においてスライドする前記グリップをハンドルに固定するための螺子部を該グリップ及びハンドルにそれぞれ形成して、グリップ及びハンドルが相互に螺着するようにした事を特徴とする請求項６に記載の振動トレーニング装置。
【請求項８】
前記ハンドルの長さ方向においてスライドする前記グリップをハンドルに固定するための固定ロック機構を該グリップに設け、該固定ロック機構における固定をワンタッチで解除するためのロック解除ボタンを該固定ロック機構に具備した事を特徴とする請求項６に記載の振動トレーニング装置。
【発明の詳細な説明】
【技術分野】
【０００１】
本発明は、振動トレーニングに加えてアイソメトリック運動を行えるようにした振動トレーニング装置に関するものである。
【背景技術】
【０００２】
従来、手軽にトレーニングまたは運動できる装置として、踏み台上に起立した状態で使用者を搭乗させ、電動モータ等の駆動機構により踏み台を高速で振動させることで踏み台上の使用者に対して振動を付与し、筋肉を刺激する振動トレーニング装置が既に存在しており、同装置により使用者は自らの力を要することなく、踏み台上に起立しているだけでウォーキング等と同様の運動効果が得られる。
【０００３】
例えば、図２３及び図２４に示すような従来の振動トレーニング装置が開示されている。同装置は、両端に踏み台１１, １３がそれぞれ配置されたシーソーフレーム１０の中心にセンターシャフト１５が装着され、該センターシャフト１５が本体ボックス１に装着された軸受け１７により支持されており、シーソーフレーム１０のいずれか一つの端部の下部面に取り付けられたブラケット１９に上下振動手段２０が接続されて構成している。
【０００４】
さらに、前記上下振動手段２０に装着された偏心カム４１にモータ４３の駆動軸４５がはめられることにより、偏心カム４１の作用で上下振動手段２０が上下に振動するようにしている。該上下振動手段２０の振動により、シーソーフレーム１０がセンターシャフト１５を中心として速くシーソー振動運動をするようになっている。（特許文献１）
【０００５】
また、図２５及び図２６に示すような従来の振動トレーニング装置も開示されており、同装置の足載せ台３は、その左右方向の略中央に配置されるとともに前後方向に略水平にのびる支持軸５によって、左右端側が上下するように揺動自在に基台２において枢支されると共に、駆動手段４として、前記支持軸５に対して左右の何れかの側に偏位して配された上下運動部６と、この上下運動部６を動かす駆動器７とを具えており、該駆動器７によって回動する回転軸９の偏芯部が、連接棒１０を介して足載せ台３を上下移動させることにより、足載せ台３は支持軸５を中心として左右が交互に昇降するシーソー振動を繰り返すようにしている。（特許文献２）
【特許文献１】特開２００６−２８９０５１号公報（第６頁、図１及び図２）
【特許文献２】特開２００８−２９７１２号公報（第１０頁、図１及び図４）
【発明の開示】
【発明が解決しようとする課題】
【０００６】
ところで、従来この種の振動トレーニング装置において、踏み台の振動が筋肉に適度に刺激を与えることのできる身体の部位は、腰から足裏までの範囲に集中するため、下半身を中心とした運動効果は得られるものの、使用者はハンドルを握って上半身を支えているので、胸、背中、腕等の上半身においては筋肉の刺激度合いが弱くて十分な運動効果は期待できなかった。
【０００７】
さらに、前記踏み台からの振動だけでは、筋肉におけるエネルギーの消費量に関して限りがあるため、減量効果や痩身効果を全身的且つ効率よくもたらすべく身体の基礎代謝を促進させると共に脂肪燃焼を向上させるまでに至っていなかった。
【０００８】
そこで、本発明は、上記問題点を解消する為に成されたものであり、振動トレーニングに加えてアイソメトリック運動、すなわち筋肉に連続的に一定時間付加を加えて行う静的な筋運動を行えるようにした振動トレーニング装置を提供する事を目的とするものである。
【０００９】
すなわち、振動トレーニングに加えてアイソメトリック運動を行うようにして、従来より格段に筋肉におけるエネルギーの消費量を高めることが可能となり、基礎代謝や脂肪燃焼を向上させて、全身的な減量効果や痩身効果をもたらすことが可能な振動トレーニング装置を提供する。
【課題を解決するための手段】
【００１０】
すなわち、本発明の振動トレーニング装置は、使用者が搭乗する踏み台と、該踏み台を高速で振動させる駆動機構とをベースに備えると共に該ベースに使用者が把持するハンドルを備えたポストを立設した振動トレーニング装置であって、前記ハンドルを旋回可能にポスト上部において軸支すると共に該ハンドルの旋回に伴って発生する旋回反発力を付与する旋回反発力付与機構を設けた事、及び／または前記ハンドルに弾性部を設けて該ハンドルを弾性変形可能とした事を特徴としている。
【００１１】
また、本発明の振動トレーニング装置は、前記旋回反発力付与機構として、前記ハンドルの旋回軸の左右にコイルスプリングをそれぞれ配置すると共に、該各コイルスプリングを前記ポスト上部において固設された固定部材とハンドルの旋回に伴って可動する可動部材との間に狭設したものとしている。
【００１２】
さらに、本発明の振動トレーニング装置は、前記ハンドルの旋回が可能な場合において、該旋回をロックする旋回ロック機構を設けたものとしている。
【００１３】
また、本発明の振動トレーニング装置は、前記ハンドルに前記弾性部を設ける場合において、該弾性部をコイルスプリングで形成したものとしている。
【００１４】
さらに、本発明の振動トレーニング装置は、前記ハンドルを長さ方向において伸縮可能にしたものとしている。
【００１５】
また、本発明の振動トレーニング装置は、前記ハンドルの左右両側に、該ハンドルの長さ方向においてスライドするグリップをそれぞれ設けたものとしている。
【００１６】
さらに、本発明の振動トレーニング装置は、前記ハンドルの長さ方向においてスライドする前記グリップをハンドルに固定するための螺子部を該グリップ及びハンドルにそれぞれ形成して、グリップ及びハンドルが相互に螺着するようにしたものとしている。
【００１７】
また、本発明の振動トレーニング装置は、前記ハンドルの長さ方向においてスライドする前記グリップをハンドルに固定するための固定ロック機構を該グリップに設け、該固定ロック機構における固定をワンタッチで解除するためのロック解除ボタンを該固定ロック機構に具備したものとしている。
【発明の効果】
【００１８】
よって、本発明の振動トレーニング装置は、使用者が搭乗する踏み台と、該踏み台を高速で振動させる駆動機構とをベースに備えると共に該ベースに使用者が把持するハンドルを備えたポストを立設した振動トレーニング装置であって、前記ハンドルを旋回可能にポスト上部において軸支すると共に該ハンドルの旋回に伴って発生する旋回反発力を付与する旋回反発力付与機構を設けた事、及び／または前記ハンドルに弾性部を設けて該ハンドルを弾性変形可能とした事を特徴としているため、運動効果が腰から足裏までの下半身に集中していた従来の振動トレーニング装置とは異なり、胸、背中、腕等の上半身も含めた全身的な運動効果が得られる。
【００１９】
上半身における運動に関しては、例えば使用者がハンドルを旋回反発力に抗して旋回させた状態の姿勢を一定時間維持したり、使用者がハンドルを弾性部で生じる弾性反発力に抗して弾性変形させた状態の姿勢を一定時間維持したりすると、上半身を中心とする筋肉に連続的に負荷が加えられ、上半身に静的な筋運動、所謂アイソメトリック運動がなされることになる。
【００２０】
このアイソメトリック運動によって、エネルギーを消費する筋肉量が増えて基礎代謝量が高くなり、新陳代謝が活発になって消費されるエネルギー量が増えるため、脂肪が燃えやすい身体になる。
【００２１】
このように本発明の振動トレーニング装置は、振動トレーニング及びアイソメトリック運動のもたらす効果が相互に相乗して、全身的な減量痩身効果を従来より大幅に向上させることが可能となる。
【００２２】
また、本発明の振動トレーニング装置は、前記旋回反発力付与機構として、前記ハンドルの旋回軸の左右にコイルスプリングをそれぞれ配置すると共に、該各コイルスプリングを前記ポスト上部において固設された固定部材とハンドルの旋回に伴って可動する可動部材との間に狭設したものとしているため、適度な旋回反発力が得られると共に旋回運動における耐久性に優れ、しかも比較的簡素な構造なので生産性が高まる。
【００２３】
さらに、本発明の振動トレーニング装置は、前記ハンドルの旋回が可能な場合において、該旋回をロックする旋回ロック機構を設けたものとしているため、ハンドルを旋回使用しない場合はハンドルを固定して、これを把持する使用者は身体を安定支持しつつ振動トレーニングに専念できる。
【００２４】
また、本発明の振動トレーニング装置は、前記ハンドルに前記弾性部を設ける場合において、該弾性部をコイルスプリングで形成したものとしているため、適度な弾性力が得られると共に耐久性に優れ、しかも比較的簡素な構造なので生産性を向上できる。
【００２５】
さらに、本発明の振動トレーニング装置は、前記ハンドルを長さ方向において伸縮可能にしたものとしているため、前記旋回反発力を使用者の好みや体力に応じて調整することができる。
【００２６】
また、本発明の振動トレーニング装置は、前記ハンドルの左右両側に、該ハンドルの長さ方向においてスライドするグリップをそれぞれ設けたものとしているため、把持する部分が特定されて使用しやすくなり、また前記旋回反発力の調整を的確に行える。
【００２７】
さらに、本発明の振動トレーニング装置は、前記ハンドルの長さ方向においてスライドする前記グリップをハンドルに固定するための螺子部を該グリップ及びハンドルにそれぞれ形成して、グリップ及びハンドルが相互に螺着するようにしたものとしているため、グリップをハンドルに対して堅固に固定できる。
【００２８】
また、本発明の振動トレーニング装置は、前記ハンドルの長さ方向においてスライドする前記グリップをハンドルに固定するための固定ロック機構を該グリップに設け、該固定ロック機構における固定をワンタッチで解除するためのロック解除ボタンを該固定ロック機構に具備したものとしているため、グリップのハンドルにおける位置の変更及び固定を瞬時に行える。
【発明を実施するための最良の形態】
【００２９】
以下に、本発明の振動トレーニング装置を、図面に示す一実施形態に基づきこれを詳細に説明する。
図１及び図２は本発明の振動トレーニング装置の一実施形態を示す斜視図であり、図３乃至図７は本発明の振動トレーニング装置の一実施形態を示す使用状態図であり、図８は本発明の振動トレーニング装置に設けたハンドルが旋回する一実施形態を示す平面説明図であり、図９は本発明の振動トレーニング装置に設けたハンドルが伸縮する一実施形態を示す正面説明図であり、図１０は本発明の振動トレーニング装置に設けた旋回反発力付与機構の一実施形態を示す平面説明図であり、図１１及び図１２は本発明の振動トレーニング装置に設けた旋回反発力付与機構の一実施形態を示す斜視説明図であり、図１３は本発明の振動トレーニング装置に設けた旋回ロック機構の一実施形態を示す斜視説明図であり、図１４及び図１５は本発明の振動トレーニング装置に設けた旋回ロック機構の一実施形態を示す側面説明図であり、図１６は本発明の振動トレーニング装置に設けたハンドルが屈曲する一実施形態を示す正面説明図であり、図１７は本発明の振動トレーニング装置に設けたハンドルのグリップが移動する一実施形態を示す正面説明図であり、図１８は本発明の振動トレーニング装置に設けたハンドルのグリップが内側へ移動した一実施形態を示す正面説明図であり、図１９は本発明の振動トレーニング装置に設けたハンドルのグリップが外側へ移動した一実施形態を示す正面説明図であり、図２０は本発明の振動トレーニング装置に設けたハンドルのグリップに備えた固定ロック機構の一実施形態を示す正面説明図であり、図２１は本発明の振動トレーニング装置に設けたハンドルのグリップに備えた固定ロック機構を解除してグリップが内側へ移動した一実施形態を示す正面説明図であり、図２２は本発明の振動トレーニング装置に設けたハンドルのグリップに備えた固定ロック機構を解除してグリップが外側へ移動した一実施形態を示す正面説明図であり、図２３乃至図２６は従来技術を示す参考図である。
【００３０】
すなわち、本発明の振動トレーニング装置１ａは、図１及び図３の実施形態で示したように、使用者が搭乗する踏み台２１ａと、該踏み台２１ａを高速で振動させる駆動機構２２ａとをベース２ａに備えており、さらに該ベース２ａに使用者が把持するハンドル４ａを備えたポスト３ａを立設したものとして基本的に構成している。
【００３１】
前記踏み台２１ａは、使用者が搭乗できる矩形状平面２１１ａを上面として形成しており、該矩形状平面２１１ａには、滑り止めとして凸状部を多数並設している。
【００３２】
また、前記駆動機構２２ａは電動モータを原動力とし、該電動モータの回転を高速上下振動に変換するようにしたものである。
【００３３】
さらに、前記ポスト３ａは、円柱形状として前記ベース２ａの中央後部に立設しており、その上部にはポスト３ａを中心としてその左右に前記ハンドル４ａがそれぞれ延設するようにしている。
【００３４】
尚、前記ハンドル４ａの左右において、使用者が掴み易いようにグリップ４２ａをそれぞれ設けている。
【００３５】
加えて、前記ポスト３ａの上端には操作パネル３１ａを備えており、該操作パネル３１ａには、電源スイッチやスタート／ストップスイッチ、プログラムスイッチやタイマースイッチ、前記駆動機構２２ａの振動速度及びタイマーを調整するための強さ／タイマー調整スイッチ等のスイッチ類、またそれらのスイッチによる調整や設定を表示するための表示部をそれぞれ配設している。
【００３６】
図４、図８、図１１に示すように本発明の振動トレーニング装置１ａは、前記ハンドル４ａを所定角度範囲内で旋回可能に構成している。
【００３７】
すなわち、前記ポスト３ａの上部中心に旋回軸４１ａを縦方向に固設すると共に、該旋回軸４１ａを軸芯として前記ハンドル４ａが旋回するようにしている。
【００３８】
前記ハンドル４ａの中央部には、回動フレーム部４７ａを形成しており、該回動フレーム部４７ａは、図１１に示すように一定間隔を存して上下に横設した横板フレーム部材４７１ａ・４７１ａと、前記旋回軸４１ａの左右に一定間隔を存して左右に縦設した縦板フレーム部材４７２ａ・４７２ａとから主に構成している。
【００３９】
前記上下の横板フレーム部材４７１ａ・４７１ａのうち、下側のものを前記旋回軸４１ａに直接軸支させているため、前記ハンドル４ａ全体が旋回できるようになっている。
【００４０】
尚、前記左右の縦板フレーム部材４７２ａ・４７２ａの各外側からは、突出棒部４８ａ・４８ａを突設しており、該各突出棒部４８ａに前記各グリップ４２ａが嵌挿されている。
【００４１】
また、図１に示すように、前記回動フレーム部４７ａを被覆するべくハンドルカバー部４６ａを覆設しており、該ハンドルカバー部４６ａの左右両端から、前記各突出棒部４８ａがそれぞれ突出している。
【００４２】
前記旋回軸４１ａの上端には、図１２に示すように前記操作パネル３１ａを固設している。よって、前記ハンドル４ａを旋回しても該操作パネル３１ａは追従せず固定されているため、操作パネル３１ａの表示部等における視認性を常時保つことができる。
【００４３】
尚、前記ハンドル４ａの旋回角度は、左右においてそれぞれ１５度前後とすることができる。
【００４４】
また、本発明の振動トレーニング装置１ａは、前記ハンドル４ａの旋回に伴って発生する旋回反発力を付与する旋回反発力付与機構５ａを設けたものとしている。
【００４５】
すなわち、図１０及び図１１に示すように、前記旋回反発力付与機構５ａとして前記ハンドル４ａの前記旋回軸４１ａの左右にコイルスプリング５１ａ・５１ａをそれぞれ並列して配置している。
【００４６】
前記左右のコイルスプリング５１ａ・５１ａは、前記ポスト３ａの上部で固設された板状の固定部材５２ａと、前記ハンドル４ａの旋回に伴って可動する板状の可動部材５３ａとの間に狭設されている。
【００４７】
よって、前記ハンドル４ａが旋回する時、前記固定部材５２ａに対し前記可動部材５３ａが変位するので、ハンドル４ａの旋回方向に応じて前記左右のコイルスプリング５１ａ・５１ａのどちらかが押し縮められて旋回反発力が発生することになる。
【００４８】
例えば、図１２に示すように、前記ハンドル４ａの右旋回時は、前記左右の各コイルスプリング５１ａのうち、左側のコイルスプリング５１ａが押し縮められて旋回反発力が発生する。
【００４９】
また、本発明の振動トレーニング装置１ａは、図１３及び図１４に示すように前記ハンドル４ａの旋回をロックする旋回ロック機構６ａを設けたものとしている。
【００５０】
すなわち、前記ポスト３ａの上端においてロックピン６１ａを前後方向に移動できるようにすると共に、該ロックピン６１ａが前記可動部材５３ａの中央に垂下延設した突出成形部５３１ａを押しつけてロックするよう構成している。
【００５１】
尚、図１５はロックピン６１ａを引いて、ロックを解除した状態を示している。
【００５２】
加えて、前記ロックピン６１ａは図１に示すように、前記ポスト３ａの上部における前記ハンドル４ａ付近に設けて使用者が操作し易いようにしている。
【００５３】
さらに、本発明の振動トレーニング装置１ａは図９に示すように、前記ハンドル４ａを長さ方向において伸縮可能に構成できる。
【００５４】
すなわち、前記ハンドル４ａの左右両側に、図１７に示すように該ハンドル４ａの長さ方向においてスライドするグリップ４２ａ・４２ａを、ハンドル４ａの前記左右突出棒部４８ａ・４８ａの各外周にそれぞれ嵌挿させている。
【００５５】
さらに、前記各グリップ４２ａを前記各左右の突出棒部４８ａに固定するために、螺子部４３ａを各グリップ４２ａの前記ポスト３ａ側端部における内周に、また各突出棒部４８ａの外側先端外周、及び前記ハンドルカバー部４６ａの左右両端に形成した各孔部４６１ａ付近における各突出棒部４８ａの外周にそれぞれ形成している。
【００５６】
したがって、図１８に示すように、前記グリップ４２ａを前記ポスト３ａ側へ移動させて縮ませる場合、グリップ４２ａのポスト３ａ側端部における内周に形成した螺子部４３ａ（雌螺子）と、前記ハンドルカバー部の前記４６ａの孔部４６１ａ付近における前記突出棒部４８ａの外周に形成した螺子部４３ａ（雄螺子）とを螺着させてしっかりと固定できる。
【００５７】
逆に、図１９に示すように、前記グリップ４２ａを外側へ移動させて伸ばす場合、グリップ４２ａのポスト３ａ側端部における内周に形成した螺子部４３ａ（雌螺子）と、前記突出棒部４８ａの先端に形成した螺子部４３ａ（雄螺子）とを螺着させてしっかりと固定できる。
【００５８】
前記ハンドル４ａにおける前記グリップ４２ａの固定に関する他の形態について、図２０乃至図２２に示す。
【００５９】
すなわち、図２０に示すように、前記グリップ４２ａにワンタッチで前記ハンドル４ａに対するグリップ４２ａの固定を解除できる固定ロック機構４４ａを設けて成り、該固定ロック機構４４ａとして、ハンドル４ａに形成されたロック孔４４１ａに強制嵌入するロック子４４２ａを該ロック孔４４１ａにおいて嵌脱可能に構成している。
【００６０】
前記固定ロック機構４４ａのロックを解除する場合は、図２１に示すようにロック解除ボタン４４３ａを押すことで前記ロック子４４２ａが前記ロック孔４４１ａから脱出するようにしている。
【００６１】
したがって、前記ハンドル４ａにおいて前記グリップ４２ａを移動させる場合、図２１に示すように、まず前記ロック解除ボタン４４３ａを押すと前記ロック子４４２ａが前記ロック孔４４１ａから脱出するのでグリップ４２ａは移動可能となり、図２２に示すように該グリップ４２ａを他方に移動させて、他方のロック孔４４１ａの位置にロック子４４２ａが到達すると、該ロック孔４４１ａにロック子４４２ａは自動嵌入して再びグリップ４２ａがハンドル４ａにおいて固定されることになる。
【００６２】
図１６に示すように本発明の振動トレーニング装置１ａは、前記ハンドル４ａに弾性部４５ａを設けて、該ハンドル４ａを弾性変形可能として構成している。
【００６３】
前記ハンドル４ａにおける前記弾性部４５ａは、コイルスプリング４５１ａで構成してもよい。よって、図５乃至図７に示すように、あらゆる方向にハンドル４ａを屈曲して使用者は上半身を鍛錬することが可能となる。
【００６４】
尚、図５  はハンドル４ａの左右を下方に屈曲させた状態を示し、図６はハンドル４ａの左右を上方に屈曲させた状態、また図７はハンドル４ａの左右を互いに異なる方向に屈曲させた状態を示している。
【００６５】
加えて、図１６に示すように、前記コイルスプリング４５１ａをカバー部材４５２ａで覆うようにして、該コイルスプリング４５１ａの隙間に身体が挟まれるのを防止するのが望ましい。
【００６６】
上記のように構成することで本発明の振動トレーニング装置１ａは、運動効果が腰から足裏までの下半身に集中していた従来の振動トレーニング装置とは異なり、胸、背中、腕等の上半身も含めた全身的な運動効果を得させるものとなる。
【００６７】
すなわち、本発明の振動トレーニング装置１ａは、使用者がハンドルを旋回反発力に抗して旋回させた状態の姿勢を一定時間維持したり、使用者がハンドルを弾性部で生じる弾性反発力に抗して弾性変形させた状態の姿勢を一定時間維持したりして、筋肉に連続的に負荷を加えてアイソメトリック運動が実施でき、振動トレーニング効果と相乗して絶大な全身的減量痩身効果をもたらすことができるのである。
【図面の簡単な説明】
【００６８】
【図１】本発明の振動トレーニング装置の一実施形態を示す斜視図である。
【図２】本発明の振動トレーニング装置の一実施形態を示す斜視図である。
【図３】本発明の振動トレーニング装置の一実施形態を示す使用状態図である。
【図４】本発明の振動トレーニング装置の一実施形態を示す使用状態図である。
【図５】本発明の振動トレーニング装置の一実施形態を示す使用状態図である。
【図６】本発明の振動トレーニング装置の一実施形態を示す使用状態図である。
【図７】本発明の振動トレーニング装置の一実施形態を示す使用状態図である。
【図８】本発明の振動トレーニング装置に設けたハンドルが旋回する一実施形態を示す平面説明図である。
【図９】本発明の振動トレーニング装置に設けたハンドルが伸縮する一実施形態を示す正面説明図である。
【図１０】本発明の振動トレーニング装置に設けた旋回反発力付与機構の一実施形態を示す平面説明図である。
【図１１】本発明の振動トレーニング装置に設けた旋回反発力付与機構の一実施形態を示す斜視説明図である。
【図１２】本発明の振動トレーニング装置に設けた旋回反発力付与機構の一実施形態を示す斜視説明図である。
【図１３】本発明の振動トレーニング装置に設けた旋回ロック機構の一実施形態を示す斜視説明図である。
【図１４】本発明の振動トレーニング装置に設けた旋回ロック機構の一実施形態を示す側面説明図である。
【図１５】本発明の振動トレーニング装置に設けた旋回ロック機構の一実施形態を示す側面説明図である。
【図１６】本発明の振動トレーニング装置に設けたハンドルが屈曲する一実施形態を示す正面説明図である。
【図１７】本発明の振動トレーニング装置に設けたハンドルのグリップが移動する一実施形態を示す正面説明図である。
【図１８】本発明の振動トレーニング装置に設けたハンドルのグリップが内側へ移動した一実施形態を示す正面説明図である。
【図１９】本発明の振動トレーニング装置に設けたハンドルのグリップが外側へ移動した一実施形態を示す正面説明図である。
【図２０】本発明の振動トレーニング装置に設けたハンドルのグリップに備えた固定ロック機構の一実施形態を示す正面説明図である。
【図２１】本発明の振動トレーニング装置に設けたハンドルのグリップに備えた固定ロック機構を解除してグリップが内側へ移動した一実施形態を示す正面説明図である。
【図２２】本発明の振動トレーニング装置に設けたハンドルのグリップに備えた固定ロック機構を解除してグリップが外側へ移動した一実施形態を示す正面説明図である。
【図２３】従来技術を示す参考図である。
【図２４】従来技術を示す参考図である。
【図２５】従来技術を示す参考図である。
【図２６】従来技術を示す参考図である。
【符号の説明】
【００６９】
１ａ  振動トレーニング装置
２ａ  ベース
２１ａ  踏み台
２１１ａ  矩形状平面
２２ａ  駆動機構
３ａ  ポスト
３１ａ  操作パネル
４ａ  ハンドル
４１ａ  旋回軸
４２ａ  グリップ
４３ａ  螺子部
４４ａ  固定ロック機構
４４１ａ  ロック孔
４４２ａ  ロック子
４４３ａ  ロック解除ボタン
４５ａ  弾性部
４５１ａ  コイルスプリング
４５２ａ  カバー部材
４６ａ  ハンドルカバー部
４６１ａ  孔部
４７ａ  回動フレーム部
４７１ａ  横板フレーム部材
４７２ａ  縦板フレーム部材
４８ａ  突出棒部
５ａ  旋回反発力付与機構
５１ａ  コイルスプリング
５２ａ  固定部材
５３ａ  可動部材
５３１ａ  突出成形部
６ａ  旋回ロック機構
６１ａ  ロックピン
【図１】
2009219576.tif 000003
【図２】
2009219576.tif 000004
【図３】
2009219576.tif 000005
【図４】
2009219576.tif 000006
【図５】
2009219576.tif 000007
【図６】
2009219576.tif 000008
【図７】
2009219576.tif 000009
【図８】
2009219576.tif 000010
【図９】
2009219576.tif 000011
【図１０】
2009219576.tif 000012
【図１１】
2009219576.tif 000013
【図１２】
2009219576.tif 000014
【図１３】
2009219576.tif 000015
【図１４】
2009219576.tif 000016
【図１５】
2009219576.tif 000017
【図１６】
2009219576.tif 000018
【図１７】
2009219576.tif 000019
【図１８】
2009219576.tif 000020
【図１９】
2009219576.tif 000021
【図２０】
2009219576.tif 000022
【図２１】
2009219576.tif 000023
【図２２】
2009219576.tif 000024
【図２３】
2009219576.tif 000025
【図２４】
2009219576.tif 000026
【図２５】
2009219576.tif 000027
【図２６】
2009219576.tif 000028